(57)【要約】  オシュレーション巻取方式で巻き取ったウエブ材料１を原反３から供給し、ガイドローラ２にウエブ材料１を係合させたとき、ウエブ材料１にしわが生じないようにする。  案内手段４によってウエブ材料１が案内され、ガイドローラ２にウエブ材料１が係合する。ガイドローラ２はウエブ材料１の幅よりも短い長さのものである。そして、ウエブ材料１の幅方向両端部分がガイドローラ２の長さ方向両端部分よりも外側にはみ出し、ガイドローラ２の長さ方向両端部分の位置において、一対のスリット刃６によってウエブ材料１がスリットされる。
2010119527.tif 000002
【特許請求の範囲】
【請求項１】
オシュレーション巻取方式で巻き取ったウエブ材料に使用するスリッタであって、
前記ウエブ材料の幅よりも短い長さのガイドローラと、
前記ウエブ材料を案内し、前記ガイドローラに前記ウエブ材料を係合させ、前記ウエブ材料の幅方向両端部分が前記ガイドローラの長さ方向両端部分よりも外側にはみ出すようにする案内手段と、
前記ガイドローラの長さ方向両端部分の位置において、前記ウエブ材料をスリットするスリット刃とからなるスリッタ。
【請求項２】
前記案内手段は他のローラからなり、前記ウエブ材料が原反から供給され、前記ガイドローラを通り、前記他のローラに導かれ、前記他のローラによって前記ウエブ材料が案内されるようにしたことを特徴とする請求項１に記載のスリッタ。
【請求項３】
さらに、前記ウエブ材料を所定幅にスリットする他のスリット刃を有し、前記ウエブ材料が前記他のローラを通り、前記他のスリット刃に導かれるようにしたことを特徴とする請求項２に記載のスリッタ。
【請求項４】
本体によって前記ガイドローラの長さ方向中央部分が構成され、複数のピースによって前記ガイドローラの長さ方向両端部分が構成され、前記ピースは前記本体から分離可能であり、前記各ピースによって前記ガイドローラの長さを調節することができるようにしたことを特徴とする請求項１に記載のスリッタ。
【発明の詳細な説明】
【技術分野】
【０００１】
この発明は、電子部品のセパレータフィルムなどのウエブ材料をスリットするスリッタに関するものであり、特にオシュレーション巻取方式で巻き取ったウエブ材料に使用するスリッタに関するものである。
【背景技術】
【０００２】
セパレータフィルムの場合、最初、原料が押出機で製膜され、それがワインダで巻き取られるが、その巻取方式はオシュレーション巻取方式であることが多い。オシュレーション巻取方式とは、たとえば、特開平１０−２１２０５９号公報（特許文献１）に記載されているように、巻き取るとき、セパレータフィルムをその幅方向にトラバースさせる方式のことである。したがって、セパレータフィルムの幅方向に厚さのむらがあっても、厚い部分と薄い部分が交互に積層され、巻圧が均一に保たれ、巻き姿が良好に仕上がる。その後、普通、原反がスリッタに搬送され、セパレータフィルムが原反から供給され、所定幅にスリットされる。【０００３】
しかしながら、製膜直後、セパレータフィルムをオシュレーション巻取方式で巻き取ると、その後、時間の経過にともない、セパレータフィルムの幅方向両端部分が顕著に収縮する。その要因はセパレータフィルムの材質および巻取状態にあると考えられる。セパレータフィルムは多孔質化されたポリオレフィンなどの合成樹脂からなる。さらに、製膜直後、それをオシュレーション巻取方式で巻き取ると、その幅方向中央部分は緊密に巻き取られるが、幅方向両端部分は緊密に巻き取られない。そして、その状態でセパレータフィルムが冷却される。したがって、幅方向両端部分が顕著に収縮すると考えられるものである。【０００４】
したがって、その後、原反をスリッタに搬送し、セパレータフィルムを原反から供給するとき、収縮現象によって幅方向両端部分の長さが減少し、幅方向両端部分と中央部分に長さの差が生じる。このため、ガイドローラにセパレータフィルムを係合させたとき、テンションによって幅方向両端部分が緊張するだけであり、幅方向中央部分は緊張せず、弛緩することはさけられない。この結果、セパレータフィルムにしわが生じるという問題がある。【０００５】
セパレータフィルムに限らず、他のウエブ材料をオシュレーション巻取方式で巻き取っても、その幅方向両端部分がある程度収縮することはさけられない。このため、ウエブ材料を原反から供給し、ガイドローラにウエブ材料を係合させたとき、ウエブ材料にしわが生じるという問題があることは同様である。【０００６】
したがって、この発明は、特別の構成のスリッタを新たに提供し、オシュレーション巻取方式で巻き取ったウエブ材料を原反から供給し、ガイドローラにウエブ材料を係合させたとき、ウエブ材料にしわが生じないようにすることを目的としてなされたものである。
【先行技術文献】
【特許文献】
【０００７】
【特許文献１】特開平１０−２１２０５９号公報
【発明の概要】
【０００８】
この発明によれば、案内手段によってウエブ材料が案内され、ガイドローラにウエブ材料が係合する。ガイドローラはウエブ材料の幅よりも短い長さのものである。そして、ウエブ材料の幅方向両端部分がガイドローラの長さ方向両端部分よりも外側にはみ出し、ガイドローラの長さ方向両端部分の位置において、一対のスリット刃によってウエブ材料がスリットされる。
【０００９】
好ましい実施例では、案内手段は他のローラからなる。そして、ウエブ材料が原反から供給され、ガイドローラを通り、他のローラに導かれ、他のローラによってウエブ材料が案内される。
【００１０】
さらに、ウエブ材料が他のローラを通り、他のスリット刃に導かれ、所定幅にスリットされる。
【００１１】
さらに、本体によってガイドローラの長さ方向中央部分が構成され、複数のピースによってガイドローラの長さ方向両端部分が構成される。ピースは本体から分離可能である。したがって、各ピースによってガイドローラの長さを調節することができる。
【図面の簡単な説明】
【００１２】
【図１】図１はこの発明の実施例を示す側面図である。
【図２】図２は図１のスリット刃およびガイドローラの拡大図である。
【図３】図３は図１の原反およびガイドローラの平面図である。
【図４】図４は図３のピースの縦断面図である。
【図５】図５は図４のピースの横断面図である。
【図６】図６は他の実施例を示す拡大図である。
【図７】図７は他の実施例を示す拡大図である。
【発明を実施するための形態】
【００１３】
以下、この発明の実施例を説明する。
【００１４】
図１はこの発明にかかるスリッタを示す。このスリッタはウエブ材料１をスリットするためのもので、ガイドローラ２を有する。ウエブ材料１は電子部品に使用するセパレータフィルムからなり、原反３に巻き取られている。その巻取方式はオシュレーション巻取方式であり、ウエブ材料１はオシュレーション巻取方式で巻き取られている。
【００１５】
さらに、案内手段によってウエブ材料１が案内され、ガイドローラ２にウエブ材料１が係合する。案内手段は他のローラ４からなる。そして、ウエブ材料１が原反３から供給され、ガイドローラ２を通り、他のローラ４に導かれ、他のローラ４にウエブ材料１が係合する。したがって、他のローラ４によってウエブ材料１が案内され、ガイドローラ２にウエブ材料１が係合するものである。係合するとき、ガイドローラ２のまわりにおいて、ウエブ材料１は一定の角度範囲にわたって係合する。その後、ウエブ材料１が他のローラ４に導かれ、他のローラ４のまわりにおいて、ウエブ材料１は一定の角度範囲にわたって係合する。したがって、ガイドローラ２によってウエブ材料１が方向変換され、他のローラ４によってウエブ材料１が方向変換される。さらに、ウエブ材料１が送られるとき、摩擦によってガイドローラ２が回転し、他のローラ４も回転する。
【００１６】
図３に示すように、ガイドローラ２はウエブ材料１の幅よりも短い長さのものである。そして、ガイドローラ２にウエブ材料１が係合したとき、ウエブ材料１の幅方向両端部分５がガイドローラ２の長さ方向両端部分よりも外側にはみ出し、ガイドローラ２の長さ方向両端部分の位置において、一対のスリット刃によってウエブ材料１がスリットされる。この実施例では、図２に示すように、スリット刃に丸刃６が使用されている。さらに、ガイドローラ２の長さ方向両端部分に外周みぞ７が形成され、外周みぞ７によって下刃が形成されており、丸刃６が上刃として使用され、ガイドローラ２の長さ方向両端部分の位置において、ウエブ材料１が上刃と下刃間に挟まれ、上刃と下刃によってウエブ材料１がスリットされる。したがって、幅方向両端部分５がウエブ材料１から分離される。さらに、この実施例では、ガイドローラ２のまわりにおいて、ウエブ材料１が一定の角度範囲にわたって係合することは前述したとおりであるが、その角度範囲の終端でウエブ材料１がスリットされる。
【００１７】
その後、ウエブ材料１が他のローラ４を通り、他のローラ８，９に導かれ、幅方向両端部分５は巻取装置１０に導かれ、巻き取られる。他のローラ４，８，９はウエブ材料１の幅よりも長い長さのものである。そして、他のローラ４，８，９に係合するとき、ウエブ材料１は全幅にわたって係合する。さらに、このスリッタは他のスリット刃１１を有し、ウエブ材料１は他のローラ９を通り、他のスリット刃１１に導かれ、所定幅にスリットされる。スリット後、ウエブ材料１はロール１２に巻き取られる。
【００１８】
したがって、このスリッタの場合、ウエブ材料１がオシュレーション巻取方式で巻き取られ、その幅方向両端部分５が顕著に収縮しても、問題はない。ウエブ材料１が原反３から供給されるとき、収縮現象によって幅方向両端部分５の長さが減少し、幅方向両端部分５と中央部分に長さの差が生じるが、ガイドローラ２にウエブ材料１が係合したとき、幅方向両端部分５がガイドローラ２の長さ方向両端部分よりも外側にはみ出し、これによって長さの差が吸収される。したがって、ガイドローラ２上において、テンションによって幅方向中央部分が緊張し、弛緩せず、幅方向中央部分が的確に係合する。この結果、ウエブ材料１にしわは生じない。さらに、その状態でウエブ材料１がスリットされ、幅方向両端部分５がウエブ材料１から分離される。したがって、その後、他のローラ４，８，９にウエブ材料１が係合するとき、ウエブ材料１が的確に係合し、ウエブ材料１にしわは生じない。
【００１９】
さらに、このスリッタでは、本体１３によってガイドローラ２の長さ方向中央部分が構成され、複数のピース１４によってガイドローラ２の長さ方向両端部分が構成されている。ピース１４は本体１３から分離可能である。たとえば、本体１３は軸１５と一体のものである。ピース１４はリング状のものである。そして、図４に示すように、各ピース１４が軸１５にはめ合わされ、ガイドローラ２の長さ方向において、各ピース１４が互いに重ね合わされ、本体１３に押し付けられる。さらに、割りカラー１６が軸１５にはめ合わされ、図５に示すように、固定ボルト１７によって割りカラー１６が締め付けられ、これが軸１５に固定され、押えボルト１８が割りカラー１６にねじ合わされ、押えボルト１８によってピース１４が押えられ、固定される。そして、各ピース１４に外周みぞ７が形成されている。さらに、ウエブ材料１の幅方向両端部分５よりも外側において、複数のピース１４が軸１５にはめ合わされ、ガイドローラ２の長さ方向において、各ピース１４が互いに重ね合わされ、ストッパ１９に押し付けられている。さらに、割りカラー１６が軸１５にはめ合わされ、固定ボルト１７によって割りカラー１６が締め付けられ、これが軸１５に固定されており、押えボルト１８が割りカラー１６にねじ合わされ、押えボルト１８によってピース１４が押えられ、固定されている。
【００２０】
したがって、割りカラー１６を軸１５から取り外すと、ストッパ１９側のピース１４のうち、いくつかのピース１４を軸１５に沿ってスライドさせ、本体１３に向かって移動させることができる。反対に、本体１３側のピース１４のうち、いくつかのピース１４を軸１５に沿ってスライドさせ、ストッパ１９に向かって移動させることもできる。さらに、各ピース１４を互いに重ね合わせ、固定ボルト１７によって割りカラー１６を固定し、押えボルト１８によってピース１４を押え、固定することができる。したがって、各ピース１４によってガイドローラ２の長さを調節することができる。その長さ方向両端部分に外周みぞ７を形成することもできる。したがって、異なる幅のウエブ材料１であっても、その幅方向両端部分５がガイドローラ２の長さ方向両端部分からはみ出すようにすることができ、ガイドローラ２の長さ方向両端部分の位置において、各丸刃６によってウエブ材料１をスリットすることができる。
【００２１】
図６は他の実施例を示す。この実施例では、スリット刃にレザー刃２０が使用されている。そして、レザー刃２０がウエブ材料１に接触し、外周みぞ７に入り込み、レザー刃２０によってウエブ材料１がスリットされる。他の構成は図１の実施例と同様である。
【００２２】
図７の実施例では、ウエブ材料１がガイドローラ２から離れたとき、それがレザー刃２０に導かれ、レザー刃２０だけでウエブ材料１がスリットされる。この場合、ガイドローラ２の長さ方向両端部分にガイドみぞ７を形成する必要はない。他の構成は図１の実施例と同様である。
【００２３】
スリット刃にオルファ（登録商標）刃またはその他の刃を使用することもできる。
【符号の説明】
【００２４】
１  ウエブ材料
２  ガイドローラ
３  原反
４  他のローラ
５  幅方向両端部分
６  丸刃
１１  他のスリット刃
１３  本体
１４  ピース
２０  レザー刃
【図１】
2010119527.tif 000003
【図２】
2010119527.tif 000004
【図３】
2010119527.tif 000005
【図４】
2010119527.tif 000006
【図５】
2010119527.tif 000007
【図６】
2010119527.tif 000008
【図７】
2010119527.tif 000009
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
オシュレーション巻取方式で巻き取ったウエブ材料に使用するスリッタであって、
前記ウエブ材料の幅よりも短い長さのガイドローラと、
前記ウエブ材料を案内し、前記ガイドローラに前記ウエブ材料を係合させ、前記ウエブ材料の幅方向両端部分が前記ガイドローラの長さ方向両端部分よりも外側にはみ出すようにする案内手段と、
前記ガイドローラの長さ方向両端部分の位置において、前記ウエブ材料をスリットするスリット刃とからなり、
前記案内手段は他のローラからなり、前記ウエブ材料が原反から供給され、前記ガイドローラを通り、前記他のローラに導かれ、前記他のローラによって前記ウエブ材料が案内され、前記ウエブ材料のスリット後、前記他のローラに前記ウエブ材料が係合するようにしたことを特徴とするスリッタ。
【請求項２】
（削除）
【請求項３】
さらに、前記ウエブ材料を所定幅にスリットする他のスリット刃を有し、前記ウエブ材料が前記他のローラを通り、前記他のスリット刃に導かれるようにしたことを特徴とする請求項１に記載のスリッタ。
【請求項４】
本体によって前記ガイドローラの長さ方向中央部分が構成され、複数のピースによって前記ガイドローラの長さ方向両端部分が構成され、前記ピースは前記本体から分離可能であり、前記各ピースによって前記ガイドローラの長さを調節することができるようにしたことを特徴とする請求項１に記載のスリッタ。
【国際調査報告】
2010119527.tif 000010
2010119527.tif 000011
2010119527.tif 000012
2010119527.tif 000013